Podtech/llm-jp-corpus-v4-ja_patent huggingface dataset:
(57)【要約】【課題】湾曲形状に切り込まれたガイド部を有するカット部材と握り部とよりなる、果物の種を避けながら実を切り皮を剥く調理道具を提供する。【解決手段】中心に大きな種を有する果物の種の周辺に沿って可動される湾曲形状に切り込まれたガイド部を下部中央に有するカット部材と、握り部とよりなることを特徴とする調理道具。【選択図】図１
2007283053.tif 000002
【特許請求の範囲】
【請求項１】
果物を切断できる硬さの平板状で、中心に大きな種を有する果物の種の周辺に沿って可動される湾曲形状に切り込まれたガイド部を下部中央に有するカット部材と、カット部材に設けられた握り部とよりなり、前記カット部材はガイド部を種に当てた状態で動かすことで果物を分離させる為の切り込みを設けられるものであることを特徴とする調理道具。
【発明の詳細な説明】
【技術分野】
【０００１】  本発明は、果物の種を避けながら実を切り皮を剥く調理道具に関するものである。
【背景技術】
【０００２】  従来、柄に直線的な刃がついた果物ナイフがあった。
【発明の開示】
【発明が解決しようとする問題】
【０００３】  それには、次のような問題点があった。
（イ）桃等の果物は中心に大きな硬い１つの種があるので、りんご等のように実と種を一緒に切り実を中央から形を揃えて切ることができなかった。
（ロ）従来の直線的なナイフで、果物の形を揃えて中央から分離させるための切り込みを入れようとすると、果物を幾度も持ち替えながら角度を変えてナイフを実に差し込み大きく動かす必要があり、作業途中でズレ易く形を揃えて分離させるための切り込みを入れることが難しかった。また実に傷が付き易かった。
（ハ）桃等の果物は、ナイフに種が当たらないように実を切り離すため、初めに切り離した実は大きめになりやすく、以後、切り離す毎に小さくなりやすいため、実の形を揃えて切り離すことが難しかった。また従来の直線的なナイフでは楕円形の種に沿いづらいため、実を残さず切り離すのが難しかった。
（ニ）果物を手に持って実を切り離していくうちに残った実が少なくなり持ちづらい形になるうえに、果汁で手がべとべとになり滑ってますます持ちづらくなった。また落とさないように少し力を加えて持つと実に傷が付き易い。
（ホ）まな板等の上に果物を置いて、実を切り離していくと、残った実が少なくなるに従い安定の悪い形になり、転がらないように抑えると実に傷が付き易い。
本発明は、以上の問題点を解決する為のものである。
【課題を解決するための手段】
【０００４】  平板状で、中心に大きな種を有する果物の種の周辺に沿って可動される湾曲形状に切り込まれたガイド部を下部中央に有するカット部材と、カット部材に設けられた握り部とよりなる調理道具。
【発明の効果】
【０００５】果物の中心にある大きな硬い種を避けながら、実を中央から形を揃えて切ることができる。
カット部材は種の周辺に沿って可動される湾曲形状に切り込まれたガイド部を下部中央に有するため、わずかな動きで容易に種の際で実を切ることができる。
カット部材に鋭角な鋭角切断部を設けた場合、果物に差し込みやすく切りやすくなる。また、曲線状のスウィング部を設けた場合、種の周辺に沿ってガイド部を移動させながら鋭角切断部を種の下方に滑り込ませる操作がしやすくなり、実を切りやすくなる。
本発明は果物を種に近い方の実を下にしてまな板などの上に置き、実の上部中央線上から両側に同時に切り込んでいくためズレ難く形を揃えて分離させるための切り込みを入れることが容易である。また安定が良く余分な力が入りづらいため実に傷が付きづらい。
【発明を実施するための最良の形態】
【０００６】  以下、本発明の実施の形態について図１から図５を示しながら説明する。
（イ）カット部材（２）は平板状で、桃などの果物の切断に十分な幅と高さを有し作業時に切断維持可能な形状と硬さのステンレスなどの材質からなる。
（ロ）カット部材（２）の下部中央に、中心に大きな種を有する果物の種の周辺に沿って可動される湾曲形状に切り込まれたガイド部（４）を設ける。
（ハ）カット部材（２）は若干膨らんだ曲線形状のスウィング部（６）を左右両側に有し、スウィング部（６）とガイド部（４）によって形成される鋭角は鋭角切断部（５）となる。スウィング部（６）は果物を分離させる為の切り込みを入れることが出来る長さとなっている。
（二）カット部材（２）は図２及び図３に示すように下方及びガイド部（４）に向かって多少薄くなっている。
（ホ）カット部材（２）上部に連結部（３）を延設し、連結部（３）に握り部（１）が一体に形成されている。また、握り部（１）は操作時に果物に接しない位置に設けられたものである。
（ヘ）握り部（１）とカット部材（２）を連結部（３）によって連結した際に生じる握り部（１）とカット部材（２）と連結部（３）に囲まれた空間は、図４に示すように指３本程が入る大きさである。
本発明は、以上の構成よりなっている。
これを使用するときは、果物を種から近いほうの実を下にしてまな板などの上に置き、図５ａｂに示すように、握り部（１）を持ち鋭角切断部（５）を果物の種から離れた位置にある実の上部中央線上に垂直に差し、ガイド部（４）が種にぶつかるまでカット部材（２）を実の中に差し込む。次に、図５ｃｄｅｆに示すように、ガイド部（４）が種の周辺に沿って左右に移動するように握り部（１）を動かし実を種の際で切る。種の下方にある実は図５ｄｆに示すように、ガイド部（４）を種の周辺に沿わせながら鋭角切断部（５）を種の下方に滑り込ませるように握り部（１）を動かし切る。
カット部材（２）は平板状で下方及びガイド部（４）に向かって多少薄くなり、鋭角な鋭角切断部（５）を有するため果物に差し込みやすく切りやすい。また、左右両側が若干膨らんだ曲線形状のスウィング部（６）となっているため、鋭角切断部（５）を種の下に滑り込ませる際に、カット部材（２）がまな板などの上をなめらかに移動することができる。以上の作業を、カット部材（２）の実への差込み角度を変えて繰り返すことで４等分６等分などに形を揃えて実を切ることができる。実を切った後で実と種を離すことにより、形の揃った実を容易に切り離すことができる。
握り部（１）を、図４ｂに示すように横向きに持ち、ガイド部（４）で果物の皮を剥くことができる。握り部（１）は、使用時に果物に接触しない位置にあるため実に傷をつけない。
このように本発明を使用することで、果物の実を中央から形を揃えてきれいに切ることが、わずかな動きで容易にできる。
【図面の簡単な説明】
【０００７】
【図１】本発明の正面図
【図２】本発明の側面図
【図３】本発明のＡ−Ａ端面図
【図４】本発明の握り方説明図
【図５】本発明の使用説明図
【符号の説明】
【０００８】１  握り部
２  カット部材
３  連結部
４  ガイド部
５  鋭角切断部
６  スウィング部
【図１】
2007283053.tif 000003
【図２】
2007283053.tif 000004
【図３】
2007283053.tif 000005
【図４】
2007283053.tif 000006
【図５】
2007283053.tif 000007
(57)【要約】【課題】      オセロや囲碁・将棋等のゲームを複雑化し興味を持たせること。【解決手段】  オセロや囲碁・将棋などの駒に数字などを表現させたものを使う。【選択図】図１
2007283057.tif 000002
【特許請求の範囲】
【請求項１】
数字等を表現しそれらを利用したオセロ駒とゲーム手法
【請求項２】
数字等を表現しそれらを利用した囲碁駒とゲーム手法
【請求項３】
数字等を表現しそれらを利用した将棋駒やチェス駒などとゲーム手法
【請求項４】
数字の代わりに絵や文字・英語などの単語等を表現しその組み合わせや力関係等を利用し優劣を判断させるゲーム
【請求項５】
請求項１〜４のいずれか１項に記載のテレビゲームやパソコンゲームソフトやインターネットゲーム等で利用
【発明の詳細な説明】
【技術分野】
【０００１】  本発明は、オセロや囲碁・将棋等のゲームを複雑化し興味を持たせる方法に関する。
【背景技術】
【０００２】  これまでのオセロや囲碁・将棋など黒白の色や文字を書いたり彫ったりしたものを使用している。【０００３】  また、勝ち負けを獲得した駒数や相手の王を詰ましたことで決めている。【０００４】  特に囲碁やオセロゲームでは同じ駒を置くのでそれぞれの駒に特色がない。
【発明の開示】
【発明が解決しようとする課題】
【０００５】  解決しようとする問題点は従来のオセロや囲碁・将棋等のゲームを複雑化し興味を持たせることである。
【課題を解決するための手段】
【０００６】  上記目的を達成するために、本発明の方法においては、オセロや囲碁・将棋などの駒に数字などを表現させたものを使う。
【発明の効果】
【０００７】  従来のオセロや囲碁で駒数や陣地を多く取ったほうが勝ちであったのがこの方法では裏返ったり、取った駒に表現された数字などの合計数で決まるためいくら多く駒をとっても勝ちと成らないため常に駒の置き場や合計点を計算しながらゲームをしなければならず頭脳をより使ったものとなり、老人脳活性化や子供等の学習および社会性の勉強となる。
【発明の実施するための最良の形態】
【０００８】  オセロや囲碁・将棋などの駒に数字などを表現させたものを使う。
【実施例】
【０００９】  駒の表面を白色で裏面を黒地に徳川家紋と徳川武将名と数字、表面を黒色で裏面を白地に豊臣家紋と豊臣武将名と数字を表現し、従来のオセロのようにゲームをしたところ白色側の駒数が黒色側の駒数より多くなったが、合計点数では黒色側のほうが多くなりこの結果黒色側の勝ちと成った。【００１０】  これまでは四方の隅を取ったほうが有利とされていたが、マイナス点の駒等により一概には言えなくなり、トランプの神経衰弱ゲーム性も兼ね備えられたものとなった。
【産業上の利用可能性】
【００１１】  老人の脳活性化や子供等の学習およびいつどんなときでも逆転や落とし穴があるという社会性の勉強訓練となる。
【図面の簡単な説明】
【００１２】
【図１】  オセロ駒表面と裏面の概略図である。
【符号の説明】
【００１３】１  オセロ駒白表面
２  オセロ駒白表面の黒地裏面
３  オセロ駒黒表面
４  オセロ駒黒表面の白地裏面
５  徳川家紋
６  徳川武将名
７  数字
８  豊臣家紋
９  豊臣武将名
【図１】
2007283057.tif 000003
(57)【要約】【課題】運転操作を妨げずに、照明装置をオン／オフできる。【解決手段】ベース１の片面又は両面に光源４を設け、この光源４のオン／オフをベース１に内蔵した静電容量センサ６で行うようにした。また、フレキシブル配線板１０上に静電容量検出回路と照明回路を統合し、ベース１に内蔵した。さらに、前記ベース１が開閉し、ベース１のヒンジ部の機械的なスイッチや光センサをベース１の内側に設置して明暗を検出、あるいは傾きセンサを用いて検出し、表面側と裏面側の機能を切り替え、なおかつ一組の静電容量センサ６でベース１の両面に設けた光源のオン／オフを可能とした。【選択図】図３
2007283821.tif 000002
【特許請求の範囲】
【請求項１】
ベースの片面又は両面に光源を設け、
この光源のオン／オフをベースに内蔵した静電容量センサで行うようにしたことを特徴とする自動車用車室内照明装置。
【請求項２】
フレキシブル配線板上に静電容量検出回路と照明回路を統合し、ベースに内蔵したことを特徴とする請求項１に記載の自動車用車室内照明装置。
【請求項３】
前記ベースが開閉し、ベースのヒンジ部の機械的なスイッチや光センサをベースの内側に設置して明暗を検出、あるいは傾きセンサを用いて検出し、表面側と裏面側の機能を切り替え、なおかつ一組の静電容量センサでベースの両面に設けた光源のオン／オフを可能としたことを特徴とする請求項１又は２に記載の自動車用車室内照明装置。
【発明の詳細な説明】
【技術分野】
【０００１】
本発明は、自動車の運転席及び助手席の前面上部に設けたバイザーなどに設けた自動車用車室内照明装置に関する。
【背景技術】
【０００２】
従来の自動車のフロントウィンドの上部に設けられた照明装置としては、引き出し可能な大型オーバーヘッドコンソールの蓋の裏面に鏡を取り付ける構造について開示されたものにおいて、コンソール内部に装備した蛍光灯を、スイッチを用いて点灯し、鏡を用いる際に利用できるようにしたものが知られている（特許文献１参照）。また、サンバイザーに表示スクリーンと操作盤（スイッチ）を内蔵した構造のものも知られている（特許文献２参照）。
【特許文献１】実用新案登録第２５９０８４２号公報（第２頁、図１）
【特許文献２】実開平６−８４４号公報（第１頁、図１）
【発明の開示】
【発明が解決しようとする課題】
【０００３】
特許文献１，２に記載のいずれの従来例も、スイッチの操作に当たっては、目視、触手によるスイッチ位置の確認が必要であり、運転操作の妨げになるばかりでなく、安全運転遂行上の問題となる懸念がある。
【０００４】
そこで、本発明は、運転操作を妨げることなく、バイザーなどのベースに内蔵した照明装置のオン／オフを図ることができる自動車用車室内照明装置を提供することを目的とする。
【課題を解決するための手段】
【０００５】
上述の目的を達成するため、本発明は、ベースの片面又は両面に光源を設け、この光源のオン／オフをベースに内蔵した静電容量センサで行うようにしたものである。
【発明の効果】
【０００６】
本発明によれば、天井側からウィンド側に反転するバイザー本体をベースとしたとき、このベースの片面又は両面に光源を設け、この光源のオン／オフをバイザー本体に内蔵した静電容量センサで行うようにしたので、運転者が運転中であってもバイザー本体に触れるだけで、すなわち運転者のアバウトな操作で光源のオン／オフ操作を行うことができ、安全運転を妨げない。
【発明を実施するための最良の形態】
【０００７】
以下に、本発明の実施形態について図面を参照にして説明する。
【０００８】
図１は、ベース（バイザー本体）１を天井側からウィンド側に反転した状態の図であり、支軸２にベース１を反転可能（開閉可能）に取り付けてあり、この支軸２をヒンジ部としてベース１を反転させることができる。このベース１の裏面側にバニティミラー３を取り付けてあり、このバニティミラー３の両側に電球あるいはＬＥＤを用いた光源４を設けてある。また、図２は、ベース１の表面側を示し、すなわち天井側にベース１を格納した状態である。ベース１の表面側にはマップランプ５を取り付けてある。
【０００９】
図３は、フレキシブル配線板１０上に静電容量センサ（検知電極）６と照明回路（制御回路）７を統合して配設し、このフレキシブル配線板１０のマップランプ５用の光源５Ａの近傍を折曲個所Ａで折り曲げてベース１に内蔵するようにしたものである。この静電容量センサ６の個所に触れると光源４、５Ａがオンするようになっている。この例では、その構造上、表面側、裏面側ともに静電容量の変化（人体や指などの導電物の接近）を検出することができるため、自動車用バイザーのような薄いものに内蔵することで、対象物の表面側、裏面側の双方で静電容量の変化を検出することが可能となる。
【００１０】
本発明の上記実施形態では、ベース１の展開時（反転時）はバニティミラー照明のオン／オフを、またベース１の格納時にはマップランプ５のオン／オフを、ベース１の内部に内蔵した静電容量センサ６を用いて行っている。このときに問題となるのは、ベース１の表裏双方の照明回路７を同時に点灯すると、特にベース１の展開時にマップランプ５の照明が点灯することで、対向車を幻惑する危険性があるため、ベース１の展開／格納状態に従って点灯するべき照明を選択する必要がある。一方で、ベース１の展開／格納状態を検出することによって、静電容量センサ６でオン／オフすべき照明は排他的に選択可能であるため、比較的高価な静電容量センサ６はひとつだけで、２つの照明回路をオン／オフすることが可能となる。そのための、フローチャートを図４に示す。図４では、ベース（バイザー本体）１の開閉の検出には、ベース（バイザー本体）１のヒンジ部に機械的なスイッチ（マイクロスイッチなど）を用いて開閉を検出する方式や、光センサをベース（バイザー本体）１の内側（バニティミラー側）に設置して明暗を検出する方式、あるいは傾きセンサ（加速度センサ）を用いてベース（バイザー本体）１の傾きを検出する方式などが考えられる。図４のフローチャートの実現に関しては、ＣＰＵなどを利用したデジタル回路でも実現可能であるし、フリップフロップＩＣなどのロジックＩＣを利用した方式でも実現が可能である。
【００１１】
本発明の適用事例としては、自動車用バイザーの表裏両面の照明用途以外にも、グローブボックス内部照明と助手席足元照明の兼用（グローブボックスの蓋をベースとする）、コンソールボックス上のトレイ照明とボックス内部の照明の兼用（コンソールボックスの開閉蓋をベースとする）、その他車室内の蓋付きのボックス類に応用が可能である。
【図面の簡単な説明】
【００１２】
【図１】ベース（バイザー本体）の反転時の正面図。
【図２】ベース（バイザー本体）の格納時の正面図。
【図３】フレキシブル配線板の平面図。
【図４】フローチャート図。
【符号の説明】
【００１３】
１    ベース（バイザー本体）
２    支軸
３    バニティミラー
４、５Ａ  光源
５    マップランプ
６    静電容量センサ
【図１】
2007283821.tif 000003
【図２】
2007283821.tif 000004
【図３】
2007283821.tif 000005
【図４】
2007283821.tif 000006
(57)【要約】【課題】  リング式のシステム手帳のリングが邪魔にならない位置で、右利きの人の場合は常に右ページで記入でき、左利きの人はリングの邪魔にならない左ページで常に記入できるリフィルを供給することを目的とする  また、リングを開くことなくリフィルの差し替えが出来、バインダー式であれば上部のリフィルを全て外さなくとも目的のリフィルを取り出すことが出来るリフィルを供給することを目的とする。【解決手段】  リフィル用紙の両側に切り目つきパンチ穴を開ける。【選択図】図１
2007283742.tif 000002
【特許請求の範囲】
【請求項１】
両側にパンチ穴の開いたリフィル用紙。
【請求項２】
パンチ穴より用紙の縁に向かって切り目のあるリフィル用紙。
【請求項３】
切り目用刃物つきパンチ穴器具。
【発明の詳細な説明】
【技術分野】
【０００１】  本発明は、切り目付き両側パンチ穴あきリフィルに関するものである。
【背景技術】
【０００２】  リング式のシステム手帳など右利きの人が、リングの左ページに記入する場合リングに筆記具を持つ手がぶつかり書き難い時があり、人によってはリフィルを一度リングから外し記入後に元にもどしたり、リング金具の元部分にあるリフィルを左手の平でリング上部に持ち上げてリングが邪魔にならない位置で記入したりしています。
また、バインダー式の場合の下部に綴じてあるリフィルを差し替えたりする時は、その上部のリフィルを全て外してからでないと目的のリフィルを取り出すことが出来ません。非常に不便を感じるものです。
【発明の開示】
【発明が解決しようとする課題】
【０００３】  本発明は、リング式のシステム手帳のリングが邪魔にならない位置で、右利きの人の場合は常に右ページで記入でき、左利きの人はリングの邪魔にならない左ページで常に記入できるリフィルを供給することを目的とする。
また、リングを開くことなくリフィルの差し替えが出来、バインダー式であれば上部のリフィルを全て外さなくとも目的のリフィルを取り出すことが出来るリフィルを供給することを目的とする。
【課題を解決するための手段】
【０００４】上記課題を解決するために、本発明は、リフィル用紙の両側にパンチ穴を開ける。【０００５】上記課題を解決するために、本発明は、リフィルのパンチ穴より用紙の縁に向かって切り目を入れる。
【発明の効果】
【０００６】  本発明により、左右の切り目付きパンチ穴が使用出来るためリングを開かずに、右利きの人の場合は常に右ページでリングに差し込んだまま記入でき、左利きの人はリングの邪魔にならない左ページで常に差し込んだまま記入できる。記入後にページを揃えてファイリングすることが容易にできる。【０００７】本発明により、リフィルの抜き差しがすばやく出来る。
【発明を実施するための最良の形態】
【０００８】  本発明の実施を説明する。右利きの場合だと、リフィルに記入する時は、リング右側にあれば筆記具を持つ右手がリングに接触しないためスムーズに記入することが可能になる。この時は、リフィル左の穴１０１ａにリングは通っており１ページ書き終えたリフィルは，裏面のページに書くため捲られてリング左に通常はなるのだが、リングが邪魔して書き難いため、パンチ穴切り目を利用してリングよりリフィルを上方に引き取り、リフィル右の穴１０１ｂにリングを閉じた状態で切り目を利用して入れ、表面と同じリング右側にリフィルを置いたまま記入する。裏面の記入が終了するとページ番号を揃えるために元の状態にもどす。
【図面の簡単な説明】
【図１】  左右パンチ穴および切り目入りリフィルの正面図
【図２】  切り目用刃物つきパンチ穴開け器具の側面断面図
【符号の説明】
１００    リフィル用紙
１０１ａ  左パンチ穴
１０１ｂ  右パンチ穴
１０２    切り目
１０３    パンチ穴器台
１０４    パンチ穴器上部押さえ
１０５    パンチ穴丸刃物
１０６    切り目用刃物
【図１】
2007283742.tif 000003
【図２】
2007283742.tif 000004
(57)【要約】【課題】  従来の有価証券等の偽造防止には、高度な印刷技術を用いた物が多いが、模倣を完全に防ぐことは難しかった。【解決手段】  本発明は、印刷ではなく、有価証券等の面の一部エリアに微細ではあるが一つの物体となる粒状物質を多数にしてランダムに配置するもので、画一的な印刷技術では略不可能となる手段を用いるものである。更に、その多数にしてランダムに配置した粒状物質の中に紛れ込ませた任意の秘密の位置に故意に設けた粒状物質の設置パターンによりデーターとして個々の有価証券等の情報として読み取れる様にし。さらに、配置した粒状物質及び粒状物質の配置模様や該配置模様による光の反射や透過状態等のデーターを該有価証券等に暗号化して記録することで、より完全な有価証券等の本物確認の為の識別用マークとする事ができる。【選択図】図２
2007283741.tif 000002
【特許請求の範囲】
【請求項１】
有価証券等の面の一定面積内に微細な砂粒やガラス粒や金属粒等の粒状物質を適当にランダムに多数敷き詰めると伴に透明な樹脂で被い前記有価証券等の面の一部分となるように固定して設けて該粒状物質及び該粒状物質の配置模様を固有の印としたことで同様物の製造を略不可能にしたことを特徴とした有価証券等の本物確認の為の識別マーク。
【請求項２】
有価証券等に設けた微細な砂粒やガラス粒や金属粒等の粒状物質を多数敷き詰めて設けて識別のマークとした請求項１において、一定の面積内に適当にランダムに敷き詰めて配置した砂粒やガラス粒や金属粒等の前記粒状物質の中に紛れ込ます様に任意の位置に色や材質等を特定させた粒状物質を単独または複数を組み合わせて配置する等の決められた共通のパターンを設けて個々の有価証券等の情報が読み取れる様にしたことを特徴とした有価証券等の本物確認の為の識別マーク。
【請求項３】
有価証券等に設けた微細な砂粒やガラス粒や金属粒等の粒状物質を多数敷き詰めて設けて識別のマークとした請求項１において、微細な砂粒やガラス粒や金属粒等の前記粒状物質の配置模様や該配置模様による光の反射や透過状態等のデーターを前記有価証券等に暗号化して記録させて設けたことを特徴とした有価証券等の本物確認の為の識別マーク。
【発明の詳細な説明】
【発明の詳細な説明】
【技術分野】
【０００１】本発明は、有価証券等の偽造を困難にする為の識別用マークに関する。
【背景技術】
【０００２】  従来の有価証券等の本物確認の為の識別方法は高度な印刷技術を用いた物が多かった。
【発明が解決しようとする課題】
【０００３】  同一的な印刷では、最終的には模倣される危険性を下げることは難しい事となる。
【０００４】本発明は、印刷ではなく、形が一定でない微細な砂やガラス片や金属片等の粒状物質を多数貼り付けて、其自体を識別の印とする事で偽造を防止することを目的とするものである。
【課題を解決するための手段】
【０００５】  本発明は、前記課題を解決するために、次のような手段を採用した。有価証券等の面の一定面積内に微細な砂粒やガラス粒や金属粒等の粒状物質を適当にランダムに多数敷き詰め、さらに透明な樹脂で被い前記有価証券等の面の一部分となるように固定して設けることで、該粒状物質の配置模様が個々の有価証券等が持つ固有の印となり、これを本物確認の為の識別用マークとする技術手段を採用した。
【０００６】  一定の面積内に適当にランダムに敷き詰めて配置した砂粒やガラス粒や金属粒等の前記粒状物質の中に紛れ込ます様に任意の位置に色や材質等を特定させた粒状物質を単独または複数を組み合わせて配置する等の決められた共通のパターンを設けて個々の有価証券等の情報が読み取れる様にして、識別方法の幅を広げたことを特徴とした有価証券等の本物確認の為の識別用マークとした技術手段を採用した。
【０００７】  微細な砂粒やガラス粒や金属粒等の前記粒状物質の配置模様や該配置模様による光の反射や透過状態等のデーターを前記有価証券等の面の一部に暗号化して記録させて設けたことを特徴とした有価証券等の本物確認の為の識別用マークとした技術手段を採用した。
【発明を実施するための最良の形態】
【０００８】  発明の実施の態様を実施例にもとづき図面を参照して説明する。
図１は、本発明の断面図で、有価証券の一例となるカード（１）として、カード（１）の薄い側面から見た状態を表しており、不透明なカード（１）の一部に設けた透明な樹脂（２）の中に微細な砂粒やガラス粒や金属粒等の粒状物質（３）を内包させて配置している状態である。
図２は、本発明の平面図で、有価証券の一例となるカード（１）として、カード（１）の一部となる一定面積の中に組み込んだ透明な樹脂（２）の中に微細な砂粒やガラス粒や金属粒等の粒状物質（３）をランダムに敷き詰めて配置している状態を表している。
【図面の簡単な説明】
【図１】  本発明の側面図
【図２】  本発明の平面図
【符号の説明】
１…カード
２…透明な樹脂
３…粒状物質
【図１】
2007283741.tif 000003
【図２】
2007283741.tif 000004
(57)【要約】【課題】本発明は、陶磁器類を作るための回転盤であって、市販の手回しロクロに簡単に取付けて利用する簡易な蹴りロクロである。【手段】天板１、連結棒２、蹴り板３で構成されている本体を金具４を使い市販の手回しロクロ５のターンテーブルに取付け、使用を確実にするため手回しロクロ５の台部に金具６で安定板７を取付ける。【選択図】図２
2007283740.tif 000002
【特許請求の範囲】
【請求項１】
市販の手回しロクロ５に金具４、を使い天板１、連結棒２、蹴り板３で構成されている本体を取付けた簡易蹴りロクロ。
【請求項２】
手回しロクロ５、をフランジ８、軸９、軸受け１０、台部１１、ネジ１２、で製作した請求項１の簡易蹴りロクロ
【発明の詳細な説明】
【発明の詳細な説明】
【発明の属する技術の分野】
【０００１】この発明は、陶磁器類を作るための回転盤であって、市販の手回しロクロに取付けて利用する簡易蹴りロクロに関するものである。
【背景技術】
【０００２】従来は手回しロクロと蹴りロクロは別々のものであって脱着して使用できるものはなかった。
蹴りロクロは’やじろべぇ’のような構造になっており中心軸が蹴り板を突き抜け天板に支点がある。その構造上のため高価なものになっている。
ベアリングのない近代以前からほぼ同じ構造であり、概念化されている。
【発明が解決しようとする課題】
【０００３】本案は、概念化している支点の位置を量産品のベアリング使用の手回しロクロに装着することにより解決し、安価な陶芸用簡易蹴りロクロを提供しようとするものである。
【課題を解決するための手段】
【０００４】今解決手段を図面をおって説明すれば、
イ、天板１、連結棒２、蹴り板３で構成されている本体を金具４を使い市販の手回しロクロ５を取付ける。
ロ、手回しロクロ５に金具６で安定板７を取付ける。
【発明を実施するための最良の形態】
【０００５】本案は以上のような構造であるから、蹴り板３を片足で前後に蹴ることによって天板１を連結棒２を介し回転させ整形を行うことができる。
【発明の効果】
【０００６】イ、量産品の手回しロクロ５を利用することによって構造を簡単にすると同時に安価にできる。
ロ、脱着が可能なため、手回し、ケリの両用に使用できる。
ハ、プロ、アマチュアを問わず普及しやすくなり、独特の歪みを伴った昔の焼きものができる。
【図面の簡単な説明】
【図１】本発明の立面図
【図２】本発明の部品構成図
【図３】本発明を手回しロクロ５、をフランジ８、軸９、軸受け１０、台部１１、ネジ１２、で製作した場合の構造図。
【符号の説明】
１、天板  ２、連結棒  ３、蹴り板  ４、金具  ５、ロクロ．  ６、金具  ７、安定板  フランジ８、軸９、軸受け１０、台部１１、ネジ１２、
【図１】
2007283740.tif 000003
【図２】
2007283740.tif 000004
【図３】
2007283740.tif 000005
(57)【要約】【課題】水洗便器ロータンクの洗浄レバーハンドル操作部を指先だけでなく、手の平、手の甲で操作出来る様にした清潔感向上とバリアフリーである、洗浄レバーハンドルアタッチメントを提供すること。【解決手段】ロータンク洗浄レバーハンドル回転軸と平行に脱着可能なアタッチメントを取付け、その突き出た形状で接触面積を増設、アタッチメント本体１は三凹面を持った多面体で一方は洗浄レバーハンドル部に接合し両面テープ１１にて固定されまた、取り付の汎用性を高めるためネジ部１２、１３と開口部１４を設けた。【選択図】図２
2007224668.tif 000002
【特許請求の範囲】
【請求項１】
ロータンク洗浄レバーハンドル操作部に、回転軸と平行に脱着可能なアタッチメントを取付け、その突き出た形状で面積と接触箇所の増設を特徴とする、洗浄レバーハンドルアタッチメント。
【請求項２】
アタッチメント本体は凹面を持った立体である、請求項１に記載の洗浄レバーハンドルアタッチメント。
【請求項３】
アタッチメント本体は回転方向別の表面仕上げを施すことで、触覚で水量多少別回転方向が認識出来る、請求項１及び２に記載の洗浄レバーハンドルアタッチメント。
【請求項４】
容器として兼用する、請求項１〜３に記載の洗浄レバーハンドルアタッチメント。
【発明の詳細な説明】
【技術分野】
【０００１】
本発明は、水洗便器ロータンク洗浄レバーハンドルの接触面積と接触箇所をアタッチメントで増設し、容易に操作出来る様にしたバリアフリーと清潔感向上に関する。
【背景技術】
【０００２】
従来、水洗便器ロータンク洗浄レバーハンドル操作部の寸法及び形状は製造会社別による変化が少なく、ほぼ相似であり指先で操作をすることが前提のデザインであった。近年では非接触電気式の自動化したものもある。文献公知発明は、アダプターを既設レバーハンドル全体に被せて取り付し、レバーハンドルの垂直方向に対して直角または直角線上に対して４５度以内の範囲で操作ハンドル部を設け、且つ回転制御部で構成されたものがある（特許文献１参照）。
【０００３】
【特許文献１】特開２００１―２０３４４号公報（第１、２頁、第１図、第２図）
【発明の開示】
【発明が解決しようとする課題】
【０００４】
ロータンク洗浄レバーハンドルの操作は指先ですることが前提のため総じて形状が小型であった。また、特許文献１に記載のものはレバーハンドルの回転軸に対し直角方向に突き出た操作ハンドルであるため排出別に依る水量多少調節の上または下の操作は、日常使い慣れた動作と異なるので慣れが要求され、特に公的な場では使い勝手に疑問があり、また用途の割には構造が複雑で信頼度への疑念が残ることと、費用対効果も疑問である。
【課題を解決するための手段】
【０００５】
ロータンク洗浄レバーハンドル操作部に、回転軸と平行に脱着可能なアタッチメントを取付け、その突き出た形状で接触面積の増設と、凹面を持った立体で接触箇所を増加し清潔感向上とバリアフリー化を図り、本体は容器として兼用する。
【発明の効果】
【０００６】
洗浄レバーハンドルアタッチメントは、既設レバーハンドル部に回転軸と平行に取付けるので同一回転方向であり違和感が生じない、その突き出た形状で面積と、凹面を持った接触箇所の増加で、指先だけでなく、手の平、手の甲で各面、辺、端部等多様な箇所で排水操作ができ、公的な場では清潔感とバリアフリーに寄与し、家庭や限定的な施設では回転方向別の表面仕上げによる触覚で水量多少別回転方向が認識出来る、特に洋式便器着座姿勢での背後ハンドル操作や、指爪の長い女性、高齢者障害者に限らず誰にでもバリアフリーと誤操作防止で節水になる。また軽量単純構造は品質の安全と信頼性が向上し、製造コスト販売価格の低減に有利であり、本体は容器として兼用するに適し回転動作時のみ発散する消臭剤等とすれば、従来の常時設置形消臭剤での臭覚慢性化の欠点が補え、用途として環境に適応し易い。  
【発明を実施するための最良の形態】
【０００７】
本発明の第１の実施形態における洗浄レバーハンドルアタッチメントを図１、図２を参照して説明する。      
図１は水洗便器ロータンクに洗浄レバーハンドルアタッチメントを取付けた斜視図、１はアタッチメント本体、１５は既設洗浄レバーハンドル、１６は既設ロータンクである。
図２は洗浄レバーハンドルアタッチメントを透視した詳細斜視図で、１はアタッチメント本体、１５は既設洗浄レバーハンドル、１６は既設ロータンクである。
【０００８】
アタッチメント本体１の素材は木材、金属、硝子、陶器など多種あるが、胴部２が消臭剤等容器として利用の場合は樹脂製が好適である。
【０００９】
図２詳細斜視図の取り付側凹面３は既設洗浄レバーハンドル１５に接合し両面テープ１１にて固定されまた、取り付の汎用性を高めるため雄ネジ１２、雌ネジ１３と紐材等での固定用として開口部１４を設けた。
【図面の簡単な説明】
【００１０】
【図１】本発明の実施形態例の洗浄レバーハンドルアタッチメント斜視図である。
【図２】本発明の洗浄レバーハンドルアタッチメントを透視した詳細斜視図である。
【符号の説明】
【００１１】
１アタッチメント本体
２胴部（容器）
３取付側凹面
４側凹面
５下側凹面
６押板面
７引板面
８下端小口面
９側端小口面
１０出隅端
１１両面テープ
１２雄ネジ１２
１３雌ネジ
１４開口部
１５既設洗浄レバーハンドル
１６既設ロータンク
【図１】
2007224668.tif 000003
【図２】
2007224668.tif 000004
(57)【要約】【課題】耐震上吊り引戸構造型引戸の上レールの引き込み部分を省き、引戸巾と略同じ長さとさせ、さらに自閉式引戸としての機能を有する引戸装置の構造を提供する。【解決手段】上レールを略引戸巾の長さとし、上レールの引き込み側に振れ止めを設けると共に下レールの戸先側にも振れ止めを設け、引戸の上下に設けられた案内溝内を滑動させると共に、上レールを傾斜させる事で、引戸本体の自重によって自閉式とさせる。【選択図】図２
2007224696.tif 000002
【特許請求の範囲】
【請求項１】
上下の対角に荷重させる耐震上吊り引戸構造型引戸において、上レールの引き込み部分をなくし、引戸巾と略同じ長さの上レールとするために、バネ付ピボットの替わりに、引戸の上下に案内溝を設け、その案内溝内を滑動するように上レールの引き込み側と、下レールの戸先側に振れ止めを設けて構成される引戸装置構造。
【請求項２】
上記引戸装置構造において、引戸巾と略同じ長さとした上レールを傾斜させる事によって自閉式引戸とする引戸装置構造。
【発明の詳細な説明】
【技術分野】
【０００１】  この発明は、部屋の入口等、建物の開口部に外付けの状態で取り付けられる、耐震上吊り引戸構造型引戸の引戸装置構造に関するものである。
【背景技術】
【０００２】  従来の技術として、耐震上吊り引戸構造型引戸は、戸先側の上部に吊り車を設け、その対角の引き込み側下部にＶ車を設け、引き込み側上部にバネ付のピボットを設け、戸先側下部に補助戸車を設けたものであり、その移動領域に亘って上レールが必要であった。
【特許文献１】  特開２００３−１７２０６４号公報
【発明の開示】
【発明が解決しようとする課題】
【０００３】  耐震上吊り引戸構造型引戸を外付けの状態で実施しようとした場合、一般的に開口部まわりには下地材が入っているが、引き込み部分である壁面には入っていない場合が多く、また引き込み部分がガラスであったり物入れであったりする場合もあり、引き込み部分においては上レールが無いほうが望ましい。【０００４】  また、上レールが引戸巾と略同じ長さに出来れば、美観も向上し、取り付けも簡素化でき、経済的である。
本発明はこれらの問題点を解決するためになされたものである。
【課題を解決するための手段】
【０００５】  本発明の耐震上吊り引戸構造の引戸装置構造は、上レールの長さを引戸巾と略同じ長さとし、引戸本体の上下に案内溝を設けると共に、その案内溝内を滑動するように、上レールの引き込み側と下レールの戸先側の上下２ヶ所に振れ止めを設け、さらに自閉式とした場合に上レールを傾斜させた。
【発明の効果】
【０００６】  耐震上吊り引戸構造における上レールの引き込み部分の役目は、引戸を安定させて走行させるための振れ止めであるバネ付ピボットを摺動させるためのものであるから、バネ付ピボットの替わりに上記構成の引戸装置構造とすれば、上レールの引き込み部分をなくしても移動経路全域で引戸は安定した走行が出来、引戸引き込み部分にまで上レールを延ばす必要も無くなり、課題は解決出来る。
【発明を実施するための最良の形態】
【０００７】  本発明の実施の形態としては、図２（ａ）に示すように開口部上部に取り付けられた上レールの引き込み側と、引き込み側床面に取り付けられた下レールの戸先側に振れ止めのピボットを設ける。【０００８】  さらに、図１（ａ）に示すように引戸の上下にそれぞれの振れ止めのピボットが滑動するように案内溝８を設ける。【０００９】  このことで、図１（ｂ）に示すように引戸が閉止した状態では上ピボットが働き、開いていくに従い上下のピボットが働き、全開状態では下ピボットが働き、移動領域全体にわたって引戸を安定した状態で走行させることが出来る。【００１０】  またこのとき、図２（ｂ）に示すように上レールのみを傾斜させる事で、略引戸巾と同じ長さの上レールでの自閉式引戸としての機能も獲得できる。【００１１】  なお、以上の実施形態においては、振れ止めであればピボットの形状にこだわらず、溝無しとして引戸を挟み込むものなど、種々の形状のものを採用でき、また戸車、レールに付いても種々の形状のものを採用できる。
【図面の簡単な説明】
【００１２】
【図１】本発明の一実施の形態による引戸装置構造を示す概略構成図であり、（ａ）は引戸構造の正面図、（ｂ）は移動軌跡図である。
【図２】（ａ）は上下レールと振れ止めの斜視図であり、（ｂ）は上レールを傾斜させて自閉式とした場合の正面図である。
【符号の説明】
【００１３】  １：引戸パネル
２：上レール
３：上吊り戸車部
４：振れ止め
５：補助戸車
６：下戸車
７：下レール
８：案内溝
【図１】
2007224696.tif 000003
【図２】
2007224696.tif 000004
(57)【要約】【課題】縦の格子状に並んだ木・金属柱が左右に開閉することにより、目隠しフェンスの機能と通常の格子状の機能を併せ持つ事により、１区分１ｍごとに目隠しの状態・通常の状態と選択が出来き、傾斜地等場所を選ばず設置が出来る。又，木・金属柱が個々に前後斜めに可動することにより木・金属柱に波打つ機能も付け加え利用者の用途に合わせた景観とデザイン性にすぐれたフェンスを提供する。【解決手段】縦の格子状に並んだ木・金属柱１が個々に２のように左右に３５度開閉することにより、縦格子のフェンスから目隠しフェンスの機能を持つ（図面１）。次に木・金属柱の支点を一点にしている為、木・金属柱１が個々に３のように前後斜めに傾き１０度以内で動く（図面４）ことにより木・金属柱に波打つ等のデザイン機能を付け加えた【選択図】図１
2007224698.tif 000002
【特許請求の範囲】
【請求項１】
縦長の木製・金属製の垂直にとりつけた柱材が縦方向に個別に並び格子状の形態を持ち垂直柱材が  左右に動く固定金具と開閉の出来る形態を持つフェンス。
【請求項２】
縦長の木製・金属製の垂直にとりつけた柱材が縦方向に個別に並び格子状の形態を持ち垂直柱材中央の支点・斜用固定金具から、前方に上下斜めに傾くデザイン性の機能をもつフェンス。
【請求項３】
縦長の木製・金属製の垂直にとりつけた柱材が縦方向に個別に並び格子状の形態を持ち垂直柱材が左右に動く固定金具と開閉の出来る形態を持つフェンス機能を持ち合わせたパーテェーション。
【発明の詳細な説明】
【技術分野】
【０００１】本発明は、可動・開閉式フェンスに関する。
【背景技術】
【０００２】往来のフェンスには可動・開閉式フェンスがなく用途に合わせた使用に制限がある。
また、特願２００１−２８７０７２５に開閉式フェンスが表示されているが、開閉ハンドル・格子回転装置・開閉羽付格子受け材という複雑な構造は今回提示するフェンスには無く垂直柱自体が個別に、または１区分ごとに簡単に開閉できる構造となっているまた斜用固定金具を（図面７）を取り付けると柱自体が個別に斜に傾きデザイン性も考慮した構造も併せ持ち、傾斜地に設置するときは傾斜地用金具（図面８）を取り付けると傾斜地にも簡単に設置出来る。
【発明の開示】
【発明が解決しようとする課題】
【０００３】従来のフェンスにはメッシュ状や格子状等の開放型と、目隠しフェンスについてはパネル状の遮断・密封型の開閉・可動の出来ない構造となっているため、利用状況に合わせた有効利用が出来ない形となっている。
【発明が解決するための手段】
【０００４】縦長の木製・金属製の垂直にとりつけた柱材が縦方向に個別に並び格子状の形態を持ち垂直柱材が左右に動く固定金具と開閉の出来る形態と垂直柱材中央の支点・斜用固定金具から、前方に斜めに傾く機能を持つフェンス・パーテェーション。
【発明の効果】
【０００５】本発明は、住宅敷地や公共施設、店舗前等のフェンスとして取り付けることによって利用者の用途と状況に合わせて可動・開閉する事により通風・採光・防風はもとより外部からの人間の視線の調整も出来ることにより、開けた時の開放感や視線誘導、閉めた時の独立性や視線遮断の要素をもち、生活環境・プライバシーの保護・利用目的に合わせた住環境等の改善に貢献できる。
【発明を実施するための最良の形態】
【０００６】フェンスという目的を果たし尚かつ、フェンス自体に用途に合わせた可動・開閉という機能を持たせる事を簡単な構造にて実現した。
【実施例】
【０００７】住宅の外周部にフェンスとして設置し、防風や遮光・プライバシーの保護を目的とする場合は開閉式なので、閉めた状態にする。また防風や遮光・プライバシーの保護を目的としない場合は、開けた状態とする。１区分ごと開閉出来る為、数区間取り付けた場合はその内の１区分のみを開けた状態にするなど用途に合わせた利用が出来る。【０００８】店舗等の一時的に人間の視線を遮断したい場合などは閉めた状態とし、通常時は開けた状態と利用者の用途に合わせた利用が出来る。【０００９】住宅や店舗等のフェンスとして設置し斜用固定金具を取り付けると垂直柱が（図面４）前方に傾く為、垂直柱を交互傾けるなどして、垂直柱にデザイン性を持たせる事が出来る。
【図面の簡単な説明】
【００１０】
【図１】開閉前・後を示した正面図
【図２】開閉前・後を示した平面図
【図３】固定金具取付を示した側面図
【図４】斜用固定金具取付を示した側面図
【図５】開けた状態を示した立体図
【図６】固定金具を示した図面
【図７】斜用固定金具を示した図面
【図８】傾斜地用金具を示した図面
【符号の説明】
１  木・金属柱
２  固定金具
３  開閉装置
４  斜用固定金具
【図１】
2007224698.tif 000003
【図２】
2007224698.tif 000004
【図３】
2007224698.tif 000005
【図４】
2007224698.tif 000006
【図５】
2007224698.tif 000007
【図６】
2007224698.tif 000008
【図７】
2007224698.tif 000009
【図８】
2007224698.tif 000010
(57)【要約】      （修正有）【課題】従来使用している網戸の横幅を、大小二つに分割し、（３分の２≧３分の１）窓を左右二か所に開口して部屋の換気を促進させる。自然科学の法則から、吸入口（狭く）と排気口（広く）の二つに分割する。これにより空気の流れが発生し、自然排気が容易に行われる。部屋の窓を開けて快適な自然環境が得られる分割網戸を提供する。【解決手段】幅の狭い網戸は、幅を３分の１の幅にし、広い網戸は３分の２の幅とする。この事により、吸入口と排気口が区別され空気の流動が起こり、部屋の自然換気につながり換気が達成される。  分割した網戸は、従来通り一枚でも使えるように止め具で止める。なお、使用状況によって左右どちらでも使えるよう、止め具は両側に付ける。  また、防虫・防塵用のパッキンも各網戸に設置する。【選択図】図１
2007224694.tif 000002
【特許請求の範囲】
【請求項１】
１．換気を推進するための分割網戸で左右の開きを、一方を狭く（吸入口）し、他方を広く（排気口）した。
分割した網戸は、止め具（金具又はゴム性の永久磁石）で連結出来るようにして、従来通り一枚の網戸としても使用できる。
その上、幅の狭い網戸と、幅の広い網戸は、左右入れ替えが出来るように止め具を取りつける。
また、従来の網戸に施されている、防虫・防塵のパッキンは、分割網戸の両側にも施される。
【発明の詳細な説明】
【技術分野】
【０００１】  本発明は、部屋の換気を窓の開口で行うに際し、防虫・防塵を止める為に従来設置されている網戸を分割して、窓を左右ともに開口出来るようにした。
【発明が解決しょうとする課題】
【０００２】  従来の分割網戸は左右均等であったが、これは自然科学の法則から換気の促進には効果が薄い。従って、本発明は自然科学の法則から、吸入口を狭くし、排気口は広くして、空気の流通を促し、部屋の自然換気の促進を促すものである。
【０００３】  分割した網戸は、左右を止め具で上下二か所以上連結出来るようにする。止め具はネジ止めとゴム性の永久磁石を併用する。この連結で網戸は従来通り一枚でも使用出来る。
【０００４】  分割した網戸は、使用上の状況に合わせて、左右どちらでも使えるよう、止め具を設置する（左右入れ替え可能）また、防虫・防塵用のパッキンも、網戸の両側に取り付ける。
【図面の簡単な説明】
【０００５】  窓の開口の狭い幅を３分の１とし広い幅を３分の２とする。
すなわち、窓か９０ｃｍ２枚としたとき窓枠は１８０ｃｍ、この２分の１が窓にあたり２分の１が開口部９０ｃｍとなる。この９０ｃｍの３分の１の３０ｃｍが吸入口で、３分の２の６０ｃｍが排気口として、空気の自然排気が行われる。
【図１】
2007224694.tif 000003
【手続補正書】
【提出日】平成18年5月25日(2006.5.25)
【手続補正１】
【補正対象書類名】明細書
【補正対象項目名】０００５
【補正方法】変更
【補正の内容】
【０００５】
【図１】平面図  窓枠横幅１２０ｃｍ高さ９０ｃｍに、ガラス戸二枚横幅６０ｃｍ高さ９０ｃｍと、網戸横幅２０ｃｍ高さ９０ｃｍ一枚と横幅４０ｃｍ高さ９０ｃｍ一枚とで構成される。左右不均等にすることにより、吸入と排気が自然科学の法則により確保される。なを、窓の形状は全て現在一般に使用されている窓枠で、これに適合する網戸で、網戸の厚さ・防虫パッキング等は一般的形状である。
(57)【要約】【課題】ガラスクロスにフッ素ゴムを含浸させたフッ素ゴムシート及びこのシートを用いたフッ素ゴム面状ヒーターにおいては、フッ素ゴムとガラスクロスの密着性が弱いため界面剥離の原因となっていた。また、そのため絶縁抵抗・絶縁耐圧の低下が起きていた。【解決手段】本発明のフッ素ゴムシートは、ガラスクロスと、このガラスクロスに接着力強化剤を介して含浸せしめたフッ素ゴム層とより成ることを特徴とする。本発明のフッ素ゴム面状ヒーターは、ガラスクロスに接着力強化剤を塗布した後フッ素ゴムを含浸せしめてシートを得、このシートに対し加熱、加圧を複数回加え、得られたシートをヒーターエレメントに接着力強化剤を介して熱圧着せしめて製造する。【選択図】図１
2007224208.tif 000002
【特許請求の範囲】
【請求項１】
ガラスクロスと、このガラスクロスに接着力強化剤を介して含浸せしめたフッ素ゴム層とより成ることを特徴とするフッ素ゴムシート。
【請求項２】
ヒーターエレメントと、このヒーターエレメントに接着せしめたフッ素ゴムシートとより成り、上記フッ素ゴムシートがガラスクロスと、このガラスクロスに接着力強化剤を介して含浸せしめたフッ素ゴム層とを有することを特徴とするフッ素ゴム面状ヒーター。
【請求項３】
ガラスクロスに接着力強化剤を塗布した後フッ素ゴムを含浸せしめてシートを得る工程と、
上記シートに対し加熱、加圧を複数回加える工程と、
得られたシートをヒーターエレメントに接着力強化剤を介して熱圧着せしめる工程と
より成ることを特徴とするフッ素ゴム面状ヒーターの製造方法。
【発明の詳細な説明】
【技術分野】
【０００１】
本発明はフッ素ゴムシート及びフッ素ゴムシートを用いた面状ヒーター及びその製造方法、特に、ガラスクロスを用いたフッ素ゴムシート及びフッ素ゴムシートを用いた面状ヒーター及びその製造方法に関するものである。
【背景技術】
【０００２】
発熱線をフッ素樹脂で絶縁被覆して成る面状ヒーターは例えば特許文献１に示されている。
【特許文献１】特開平１１−２１９７７６号公報
【発明の開示】
【発明が解決しようとする課題】
【０００３】
現在、面状ヒーターの主流となっているシリコン面状ヒーターでは発生するシロキサンのアウトガスによる腐食が問題となっており、これを解決するために、代替面状ヒーターとしてフッ素ゴム面状ヒーターの開発が進められている。
【０００４】
ガラスクロスにフッ素ゴムを含浸させて得たフッ素ゴムシートを用いたフッ素ゴム面状ヒーターにおいては、フッ素ゴムとガラスクロスの密着性が弱いため界面剥離の原因となっていた。また、そのため絶縁抵抗、絶縁耐圧の低下が起きていた。
【０００５】
本発明は上記の欠点を除くようにしたものである。
【課題を解決するための手段】
【０００６】
本発明のフッ素ゴムシートは、ガラスクロスと、このガラスクロスに接着力強化剤を介して含浸せしめたフッ素ゴム層とより成ることを特徴とする。
【０００７】
本発明のフッ素ゴム面状ヒーターは、ヒーターエレメントと、このヒーターエレメントに接着せしめたフッ素ゴムシートとより成り、上記フッ素ゴムシートがガラスクロスと、このガラスクロスに接着力強化剤を介して含浸せしめたフッ素ゴム層とを有することを特徴とする。
【０００８】
また、本発明のフッ素ゴム面状ヒーターの製造方法は、ガラスクロスに接着力強化剤を塗布した後フッ素ゴムを含浸せしめてシートを得る工程と、上記シートに対し加熱、加圧を複数回加える工程と、得られたシートをヒーターエレメントに接着力強化剤を介して熱圧着せしめる工程とより成ることを特徴とする。
【発明の効果】
【０００９】
本発明によって得たフッ素ゴムシート及びフッ素ゴム面状ヒーターは、耐熱性、耐寒性、耐酸、耐油、耐溶剤性に優れ、ゴム弾性体のため屈曲性と耐衝撃性にも優れている。
【００１０】
また、フッ素ゴムとガラスクロスの密着性が強いため界面剥離を生じないようになる。
【発明を実施するための最良の形態】
【００１１】
以下図面によって本発明の実施例を説明する。
【実施例１】
【００１２】
本発明のフッ素ゴムシートは、図１に示すようにガラスクロス１に接着力強化剤（プライマー）２を塗布した後フッ素ゴム３を含浸させてシート４を形成し、このシート４を５０℃で１５分乾燥し（第一乾燥）、乾燥後のシート４を圧着ロールにて強制的に押圧し、その後、８０〜１２０℃で３０分乾燥させ（第二乾燥）、この操作を何回か繰り返して所定の厚さにする。
【実施例２】
【００１３】
本発明のフッ素ゴム面状ヒーターは、ヒーターエレメントになるＳＵＳ箔（図示せず）にプライマーを塗布し、これに上記シート４を１５０℃、５ｋｇ／ｃｍ2で２分間熱圧着する。
【００１４】
上記プライマーは例えば、株式会社横浜高分子研究所製の「モニカス」（商標）シリーズである。
【００１５】
本発明においてはガラスクロスにプライマーを介してフッ素ゴムを含浸せしめたのでガラスクロスとフッ素ゴム間に界面剥離が生じないようになる。また上記シートに加熱、加圧を複数回加えるようにしたのでガラスクロスに対するフッ素ゴムの楔効果を向上できる。
【図面の簡単な説明】
【００１６】
【図１】本発明のフッ素ゴム面状ヒーターの断面図である。
【符号の説明】
【００１７】
１  ガラスクロス
２  接着力強化剤（プライマー）
３  フッ素ゴム
４  シート
【図１】
2007224208.tif 000003